(57)【要約】      （修正有）【課題】縫製時にタックやギャザーなどの手段を施して着衣にゆとり感を持たせるような手法を講ずることなく、単に使用する生地の縮方向を考慮するのみで局部の着用感を向上しホールド感を有するブリーフを提供する。【解決手段】左横身生地と右横身生地との間の前身頃に設けた前立部４を、前立上部生地７，前立中央生地８，クロッチ生地５ａよりなるものとし、前立上部生地とクロッチ生地とは、共に両側縁を横身生地に縫着し、前立中央生地は外部生地と内部生地よりなる２枚重ねであって、内部生地の１側縁は右横身生地３に、同上縁は前面上部生地に、下縁はクロッチ生地５ａに縫着し、前立中央外部生地の１側縁は左横身生地２に、上縁は前面上部生地に、下縁はクロッチ生地に縫着してなり、２枚重ねの前立中央生地８は、共に縦方向に伸縮性を有し、その他の生地は左右方向に伸縮性を有しているものとした。２枚重ねの前立中央生地８を共に上縁の長さが下縁の長さより長い逆台形とした。【選択図】図１
0003159424.tif 000002
【実用新案登録請求の範囲】
【請求項１】
左横身生地と右横身生地との間の前身頃に設けた前立部を、前立上部生地，前立中央生地，クロッチ生地よりなるものとし、前立上部生地とクロッチ生地とは、共に両側縁を横身生地に縫着し、前立中央生地は外部生地と内部生地よりなる２枚重ねであって、内部生地の１側縁は右横身生地に、同上縁は前面上部生地に、下縁はクロッチ生地に縫着し、前立中央外部生地の１側縁は左横身生地に、上縁は前面上部生地に、下縁はクロッチ生地に縫着してなり、２枚重ねの前立中央生地は、共に縦方向に伸縮性を有し、その他の生地は左右方向に伸縮性を有していることを特徴とするブリーフ。
【請求項２】
２枚重ねの前立中央生地は、共に上縁の長さが下縁の長さより長い逆台形をなしていることを特徴とする請求項１記載のブリーフ。 
【考案の詳細な説明】
【技術分野】
【０００１】
本考案は、男性用ブリーフにおいて、前立部形状にゆとりを持たせ局部に開放感を与え、かつ、優れた着用感を得ることの出来るブリーフに関する。
【背景技術】
【０００２】
従来、下着類において、着用時に身体の動きに応じて伸縮しストレッチ性を発揮させ、フィット性を良くしようとする下着は知られている。例えば、ストレッチヤーンを使用した一方向に伸縮性ある生地からなるパンツ型の下着であって、前面が横方向に伸縮性を有し、後面が縦方向に伸縮性を有するように仕立てられていることを特徴とするパンツが開示されている（特許文献１）。
【０００３】
また、前身頃の中心に位置して局部を覆うと共に股部まで延在する第一布と、該第一布の外側縁に縫着されて股部の左右両側位置まで延在する左右一対の第二布を備え、前記第一布と第二布との股部両側位置で互いに縫着される下側縁はオーバーラップ状に裁断して立体状に縫着されている男性用パンツが開示され（特許文献２）、前身頃の男性局部に対応した左右方向中央部に、伸縮性を有した単独の生地よりなり、少なくとも自身の裁断形状と縫い合わせにより外側に膨らみ男性局部をホールドする膨出部を有して、周辺生地と縫い合わされ、この膨出部は、股部とはその左右方向中央部で股間の前後方向中央側に部分的に入り込む入り込み部で縫い合わされていることで、生地の伸縮性をそれによるずれや圧迫の問題なしに低コストで活かし、圧迫感なくフィット性、適度な開放感とホールド性を満足し着用感および運動追随性を良くしようとした男性用パンツが開示されている（特許文献３）。
【０００４】
然し、特許文献１に記載された下着は、前身頃の全体を横方向にのみ伸縮性を有するものとしているため局部のフィット感やホールド感を発生させにくい問題が有り、特許文献２，３に記載のパンツはギャザー或はタックを付けて立体状に縫着さるために、裁断・縫製に手間がかかり、コストアップに通じる恐れがある。
【０００５】
そこで今回、タックやギャザーなど立体的な縫製を行うことなく、局部に適度な開放感とホールド感を与え、優れた着用感が得られる男性用ブリーフを開発した。
【先行技術文献】
【特許文献】
【０００６】
【特許文献１】特開２００１−２５４２０１号公報
【特許文献１】特開２００７−２３９１２４号公報
【特許文献１】特許第４３９００８８号公報
【考案の概要】
【考案が解決しようとする課題】
【０００７】
本考案は上記の点に鑑みて、縫製時にタックやギャザーなどの手段を施して着衣にゆとり感を持たせるような手法を講ずることなく、単に使用する生地の、伸縮方向を考慮するのみで、局部の着用感を向上し、かつ、ホールド感を有するブリーフを得ることを目的とする。
【課題を解決するための手段】
【０００８】
請求項１記載のブリーフは、左横身生地と右横身生地との間の前身頃に設けた前立部を、前立上部生地，前立中央生地，クロッチ生地よりなるものとし、前立上部生地とクロッチ生地とは、共に両側縁を横身生地に縫着し、前立中央生地は外部生地と内部生地よりなる２枚重ねであって、内部生地の１側縁は右横身生地に、同上縁は前面上部生地に、下縁はクロッチ生地に縫着し、前立中央外部生地の１側縁は左横身生地に、上縁は前面上部生地に、下縁はクロッチ生地に縫着してなり、２枚重ねの前立中央生地は、共に縦方向に伸縮性を有し、その他の生地は左右方向に伸縮性を有しているものとした。
請求項２記載のブリーフは、請求項１記載のブリーフにおいて、２枚重ねの前立中央生地を共に上縁の長さが下縁の長さより長い逆台形としている。
【考案の効果】
【０００９】
本考案のブリーフは，前立部中央に設けた前立中央生地を２枚重ねのものとし、２枚重ねの前立中央生地の内、内部に位置する内部生地の１側縁は右横身生地に、内部生地の下縁はクロッチ生地に縫着してあるために前記２枚重ねの生地によりブリーフ着用者の局部を出し入れする出し入れ口を２枚の生地間に作ることが出来、かつ、２枚重ねの前立中央生地は、共に縦方向に伸縮性を有し、その他の生地は左右方向に伸縮性を有しているために、適宜のホールド感の下で締め付け感などを生ずることなく局部を保持することが可能となった。取り出し口から前立上部生地を介してウエストバンドまでは、通常方向の左右方向に伸縮性を発揮するような生地使いとなるために前身上から２重に構成された取り出し口を構成する２枚の重ねた生地を吊り上げることになりホールド感をアップさせ得る。
【００１０】
また、２枚重ねの前立中央生地は、共に上縁の長さが下縁の長さより長い逆台形をなしているために、着用者が局部を取り出す際の取り出し易さが生じ、更に２枚重ねの生地の重なった部位の面積の低下が生じ、それにより締め付け力を減らし履き心地を良くしている。
【図面の簡単な説明】
【００１１】
【図１】本考案ブリーフの正面図。
【図２】同背面図。
【図３】図１のIII−III線切断端面図。
【図４】ブリーフ生地の分解展開図で、矢印方向は編地のウエール方向を示す。
【考案を実施するための形態】
【００１２】
本考案ブリーフの実施の形態を図面と共に次に説明する。
本考案ブリーフ１は、左右の横身頃生地２，３の間に前立部４、後身頃中央生地５を配し、左右横身頃生地２，３、前立部４、後身頃中央生地５の上縁にウエストバンド６を縫着してなる。前立部４は逆台形をなした前立部上部生地７と、前立中央生地８よりなり、前立中央生地８は、前立中央外部生地９と、該生地９に重なる前立中央内部生地１０とよりなる。いずれの生地も編地を裁断してなるものである。
【００１３】
両生地９，１０は正面視同形の逆台形をなし、かつ、前立中央外部生地９と前立中央内部生地１０とは左右に若干ずれて外部生地９の側縁９ａは左横身頃生地２の側縁２ａと縫合され、同様に前立中央内部生地１０の側縁１０ａは右横身頃生地３の側縁３ａに縫合される。前立中央外部生地９と前立中央内部生地１０とは何れも編地の生地目方向（ウエール方向）が横方向となるように裁断され、他の生地は何れも生地目方向（ウエール方向）が縦方向となるように裁断されている。従って、前立中央外部生地９と、前立中央内部生地１０とは、製品において横方向、即ち矢印方向がウエール方向となり、同方向には編地が伸縮しにくく、縦方向即ち上下方向には編地が伸縮し易くなる。前立中央生地８以外の生地は横方向矢印に示す如く、左右方向に伸縮し易くなるよう裁断されている。
【００１４】
９ｂは前立中央外部生地９の端縁保護テープ、１０ｂは前立中央内部生地１０の端縁保護テープである。前立中央外部生地９の下縁９ｃと前立中央内部生地１０の下縁１０ｂとは、共に後身頃中央生地５の最下端部に位置するクロッチ生地５ａの端縁５ｂと一体に縫合される。
【００１５】
上記のように構成した前立部４の側縁４ａ及びクロッチ生地５ａを含む後身頃地中央生地５の側縁５ｃに、左横身頃生地２の側縁２ａを縫着し、後身頃中央生地５の側縁５ｃと左横身頃生地２の側縁２ｂとを縫合する。これにより左横身頃生地２は前立部４と一体となる。上記縫製前に左横身頃生地２は側縁２ｃ，２ｄを縫合して全体として筒状体に構成し脚開口１１を作っておく。１２は縁部保護のテープである。
上記と同様にして右横身頃生地３も筒状にして前立部４に取り付ける。
【産業上の利用可能性】
【００１６】
本発明ブリーフにあっては、前身全体の生地目を横方向にすることはせず、取り出し口の上からウエストバンドまでは通常の生地使いと同様に生地のウエール方向を縦方向（生地目を縦方向）に使用することによって、前身上から取り出し口生地を吊り上げることでホールド感をアップしているが、これと同様にホールド感をアップすべき生地部分に横方向の生地目を有する編地を用い、その上位の編地に縦方向の生地目を有する編地を使用して、ホールド感をアップしようとする生地を吊り上げることでホールド感をアップすることを例えばブラジャー等の衣料で行うことも可能である。
【符号の説明】
【００１７】
１  ブリーフ
２  左横身頃生地
２ａ  左身頃生地の側縁
３  右横身頃生地
３ａ  右身頃生地の側縁
４  前立部
５  後身頃中央生地
５ａ  クロッチ生地
５ｂ  クロッチ生地の端縁
６  ウエストバンド
７  前立部上部生地
８  前立中央生地
９  前立中央外部生地
９ａ  前立中央外部生地側縁
９ｂ  前立中央外部生地の保護テープ
９ｃ  前立中央外部生地の下縁
１０  前立中央内部生地
１０ａ  前立中央内部生地側縁
１０ｂ  前立中央内部の下縁
１１  脚開口
１２  テープ 
【図１】
0003159424.tif 000003
【図２】
0003159424.tif 000004
【図３】
0003159424.tif 000005
【図４】
0003159424.tif 000006